(57)【特許請求の範囲】
【請求項１】
情報処理端末と記録装置からなる放送番組記録システムであって、
情報処理端末は、
ユーザの操作を受け付ける操作部と、
番組の映像信号と音声信号を少なくとも含む放送信号を受信するための第１の放送受信手段と、
外部機器と通信を行うための第１の通信手段と、
前記第１の放送受信手段により受信された放送信号の電場強度を検出する電場状況検出手段と、
前記第１の放送受信手段により受信された放送信号より番組に関する情報を取得するか、あるいは前記第１の通信手段を介して外部機器から番組に関する情報を取得する番組情報取得手段と、
前記番組に関する情報から受信中の番組の情報を抽出し、該番組の録画開始を要求するための録画開始コマンドを作成するコマンド作成手段と、
前記操作部により受け付けたユーザ操作を基に、受信中の番組において視聴できた視聴済み領域あるいは視聴できなかった未視聴領域を特定するための視聴領域特定情報を作成する視聴領域特定手段と、
を備え、番組の受信を開始すると前記第１の通信手段を介して記録装置へ該番組の録画開始を要求するための前記録画開始コマンドを送信するとともに、任意のタイミングで、前記第１の通信手段を介して記録装置へ前記電場状況検出手段により検出された電場強度の情報を送信し、かつ、前記視聴領域特定手段により視聴領域特定情報が作成されると、前記第１の通信手段を介して記録装置へ該視聴領域特定情報を送信し、
記録装置は、
番組の映像信号と音声信号を少なくとも含む放送信号を受信するための第２の放送受信手段と、
外部機器と通信を行うための第２の通信手段と、
前記第２の放送受信手段により受信した番組の記録を行う記録手段と、
を備え、前記第２の通信手段を介して情報処理端末より受信した前記録画開始コマンドを基に該当番組の録画を開始するとともに、前記第２の通信手段を介して情報処理端末より受信した視聴領域特定情報を基に、記録された番組のデータに対して、視聴できた視聴済み領域あるいは視聴できなかった未視聴領域を指定し、かつ、前記第２の通信手段を介して情報処理端末より受信した電場強度が予め定められた値以下になると、記録された番組のデータに対して、視聴できた視聴済み領域あるいは視聴できなかった未視聴領域を指定する、
ことを特徴とする放送番組記録システム。
【請求項２】
情報処理端末と記録装置からなる放送番組記録システムであって、
情報処理端末は、
ユーザの操作を受け付ける操作部と、
番組の映像信号と音声信号を少なくとも含む放送信号を受信するための第１の放送受信手段と、
外部機器と通信を行うための第１の通信手段と、
該情報処理端末の電池残量を検出する電池残量検出手段と、
前記第１の放送受信手段により受信された放送信号より番組に関する情報を取得するか、あるいは前記第１の通信手段を介して外部機器から番組に関する情報を取得する番組情報取得手段と、
前記番組に関する情報から受信中の番組の情報を抽出し、該番組の録画開始を要求するための録画開始コマンドを作成するコマンド作成手段と、
前記操作部により受け付けたユーザ操作を基に、受信中の番組において視聴できた視聴済み領域あるいは視聴できなかった未視聴領域を特定するための視聴領域特定情報を作成する視聴領域特定手段と、
を備え、番組の受信を開始すると前記第１の通信手段を介して記録装置へ該番組の録画開始を要求するための前記録画開始コマンドを送信するとともに、任意のタイミングで、前記第１の通信手段を介して記録装置へ前記電池残量検出手段により検出された電池残量の情報を送信し、かつ、前記視聴領域特定手段により視聴領域特定情報が作成されると、前記第１の通信手段を介して記録装置へ該視聴領域特定情報を送信し、
記録装置は、
番組の映像信号と音声信号を少なくとも含む放送信号を受信するための第２の放送受信手段と、
外部機器と通信を行うための第２の通信手段と、
前記第２の放送受信手段により受信した番組の記録を行う記録手段と、
を備え、前記第２の通信手段を介して情報処理端末より受信した前記録画開始コマンドを基に該当番組の録画を開始するとともに、前記第２の通信手段を介して情報処理端末より受信した視聴領域特定情報を基に、記録された番組のデータに対して、視聴できた視聴済み領域あるいは視聴できなかった未視聴領域を指定し、かつ、前記第２の通信手段を介して情報処理端末より受信した電池残量が予め定められた値以下になると、記録された番組のデータに対して、視聴できた視聴済み領域あるいは視聴できなかった未視聴領域を指定する、
ことを特徴とする放送番組記録システム。
【発明の詳細な説明】
【技術分野】
【０００１】
本発明は、放送番組記録システムに関する。
【背景技術】
【０００２】
昨今、携帯電話をはじめとする移動体通信端末などの情報処理端末においてＴＶ放送を受信することが可能となってきており、外出中にＴＶ放送を楽しむことができるシステムが流通している（例えば、非特許文献１参照。）。しかしながら、この従来のシステムでは、例えば移動中に突然ＴＶ放送の受信状態が悪くなったり、情報処理端末の電池残量が残り少なくなった場合などに、ユーザが見たいシーンを見逃してしまうという問題が存在する。
【０００３】
一方、移動体通信端末などの情報処理端末から家庭にある記録再生装置に対して録画予約を行うシステムが提案されている（例えば、特許文献１参照。）。そこで、例えば、ＴＶ放送の受信状態が悪くなったり、電池残量が残り少なくなったときに、家庭にある記録再生装置に対して録画予約を行うことが考えられるが、従来のシステムでは、ユーザ自身が、ＴＶ放送の受信状態が悪くなったことや電池残量が残り少なくなったことを判断して、録画予約のための操作を行わなければならず、ユーザ操作が煩雑であった。また、そのため、操作中にユーザが見たいシーンを見逃してしまうおそれもあった。
【特許文献１】特開２００４−４８５２１号公報
【非特許文献１】［ｏｎｌｉｎｅ］、［平成１７年８月１９日検索］、インターネット＜ＵＲＬ：ｈｔｔｐ：／／ｗｗｗ．ｔｏｓｈｉｂａ．ｃｏ．ｊｐ／ｐｒｏｄｕｃｔ／ｅｔｓｇ／ｃｍｔ／ｖｏｄａｆｏｎｅ／ｖ６０３ｔ／ｖ６０３ｔ＿０１．ｈｔｍ＞
【発明の開示】
【発明が解決しようとする課題】
【０００４】
本発明は、上記問題点に鑑み、ＴＶ放送と通話の電波状況および周波数帯域が異なる性質を利用して、情報処理端末が、番組の受信を開始すると記録再生装置に対して当該番組の録画の開始を命令するためのコマンドを送信するとともに、任意のタイミングで、記録再生装置に対して電場強度の情報や電池残量の情報を送信し、記録再生装置が、情報処理端末から受信した命令に従って当該番組の録画を開始するとともに、情報処理端末から受信した電場強度の情報や電池残量の情報を基にＴＶ放送の受信状態や電池残量を判断し、ＴＶ放送の受信状態が悪くなったり、電池残量が残り少なくなったときに、記録再生装置に記録された番組のデータに対して、視聴できた視聴済み領域あるいは視聴できなかった未視聴領域を指定することにより、移動中にＴＶ放送の受信状態が悪くなったり、電池残量が残り少なくなっても、ユーザが見たいシーンを見逃してしまうことがなくなり、かつ、ユーザは煩雑な操作を必要としない放送番組記録システムを提供することを目的とする。
【課題を解決するための手段】
【００１３】
また、本発明の請求項１記載の放送番組記録システムは、情報処理端末と記録装置からなる放送番組記録システムであって、
情報処理端末は、ユーザの操作を受け付ける操作部と、番組の映像信号と音声信号を少なくとも含む放送信号を受信するための第１の放送受信手段と、外部機器と通信を行うための第１の通信手段と、前記第１の放送受信手段により受信された放送信号の電場強度を検出する電場状況検出手段と、前記第１の放送受信手段により受信された放送信号より番組に関する情報を取得するか、あるいは前記第１の通信手段を介して外部機器から番組に関する情報を取得する番組情報取得手段と、前記番組に関する情報から受信中の番組の情報を抽出し、該番組の録画開始を要求するための録画開始コマンドを作成するコマンド作成手段と、前記操作部により受け付けたユーザ操作を基に、受信中の番組において視聴できた視聴済み領域あるいは視聴できなかった未視聴領域を特定するための視聴領域特定情報を作成する視聴領域特定手段と、を備え、番組の受信を開始すると前記第１の通信手段を介して記録装置へ該番組の録画開始を要求するための前記録画開始コマンドを送信するとともに、任意のタイミングで、前記第１の通信手段を介して記録装置へ前記電場状況検出手段により検出された電場強度の情報を送信し、かつ、前記視聴領域特定手段により視聴領域特定情報が作成されると、前記第１の通信手段を介して記録装置へ該視聴領域特定情報を送信し、
記録装置は、番組の映像信号と音声信号を少なくとも含む放送信号を受信するための第２の放送受信手段と、外部機器と通信を行うための第２の通信手段と、前記第２の放送受信手段により受信した番組の記録を行う記録手段と、を備え、前記第２の通信手段を介して情報処理端末より受信した前記録画開始コマンドを基に該当番組の録画を開始するとともに、前記第２の通信手段を介して情報処理端末より受信した視聴領域特定情報を基に、記録された番組のデータに対して、視聴できた視聴済み領域あるいは視聴できなかった未視聴領域を指定し、かつ、前記第２の通信手段を介して情報処理端末より受信した電場強度が予め定められた値以下になると、記録された番組のデータに対して、視聴できた視聴済み領域あるいは視聴できなかった未視聴領域を指定する、
ことを特徴とする。
【００１４】
また、本発明の請求項２記載の放送番組記録システムは、情報処理端末と記録装置からなる放送番組記録システムであって、
情報処理端末は、ユーザの操作を受け付ける操作部と、番組の映像信号と音声信号を少なくとも含む放送信号を受信するための第１の放送受信手段と、外部機器と通信を行うための第１の通信手段と、該情報処理端末の電池残量を検出する電池残量検出手段と、前記第１の放送受信手段により受信された放送信号より番組に関する情報を取得するか、あるいは前記第１の通信手段を介して外部機器から番組に関する情報を取得する番組情報取得手段と、前記番組に関する情報から受信中の番組の情報を抽出し、該番組の録画開始を要求するための録画開始コマンドを作成するコマンド作成手段と、前記操作部により受け付けたユーザ操作を基に、受信中の番組において視聴できた視聴済み領域あるいは視聴できなかった未視聴領域を特定するための視聴領域特定情報を作成する視聴領域特定手段と、を備え、番組の受信を開始すると前記第１の通信手段を介して記録装置へ該番組の録画開始を要求するための前記録画開始コマンドを送信するとともに、任意のタイミングで、前記第１の通信手段を介して記録装置へ前記電池残量検出手段により検出された電池残量の情報を送信し、かつ、前記視聴領域特定手段により視聴領域特定情報が作成されると、前記第１の通信手段を介して記録装置へ該視聴領域特定情報を送信し、
記録装置は、番組の映像信号と音声信号を少なくとも含む放送信号を受信するための第２の放送受信手段と、外部機器と通信を行うための第２の通信手段と、前記第２の放送受信手段により受信した番組の記録を行う記録手段と、を備え、前記第２の通信手段を介して情報処理端末より受信した前記録画開始コマンドを基に該当番組の録画を開始するとともに、前記第２の通信手段を介して情報処理端末より受信した視聴領域特定情報を基に、記録された番組のデータに対して、視聴できた視聴済み領域あるいは視聴できなかった未視聴領域を指定し、かつ、前記第２の通信手段を介して情報処理端末より受信した電池残量が予め定められた値以下になると、記録された番組のデータに対して、視聴できた視聴済み領域あるいは視聴できなかった未視聴領域を指定する、
ことを特徴とする。
【発明の効果】
【００４０】
本発明によれば、移動中にＴＶ放送の受信状態が悪くなったり、電池残量が残り少なくなっても、ユーザが見たいシーンを見逃してしまうという問題を回避することができる。また、ユーザは煩雑な操作を必要としないため、使い勝手が向上する。
【発明を実施するための最良の形態】
【００４１】
（実施の形態１）
まず、本発明の実施の形態１における放送番組記録システム、情報処理端末、および記録装置について説明する。本実施の形態１では、情報処理端末として移動体通信端末を用いた放送番組記録システムを例に説明する。なお、ここで、移動体通信端末とは、例えば、携帯電話、ＰＨＳ、カーナビゲーションシステム、ＰＤＡ（Ｐｅｒｓｏｎａｌ  Ｄｉｇｉｔａｌ  Ａｓｓｉｓｔａｎｔ）やＰＣＳ（Ｐｅｒｓｏｎａｌ  Ｃｏｍｍｕｎｉｃａｔｉｏｎｓ  Ｓｅｒｖｉｃｅｓ）、ＰＣ（Ｐｅｒｓｏｎａｌ  Ｃｏｍｐｕｔｅｒ）等である。
【００４２】
図１は、本実施の形態１における放送番組記録システムの構成例を示す図である。本システムは、移動体通信端末１０１と記録再生装置（記録装置）１１０からなる。まず、移動体通信端末１０１の構成について説明する。
【００４３】
移動体通信端末１０１において、放送受信手段（第１の放送受信手段）１０２は、放送局１１８により放送された放送信号を受信する。放送信号は、番組の映像情報（映像信号および音声信号）にＥＰＧ（Ｅｌｅｃｔｒｏｎｉｃ  Ｐｒｏｇｒａｍ  Ｇｕｉｄｅ）等の番組に関する情報が付加されて構成される。番組に関する情報としては、番組タイトルや、番組開始時刻、番組終了時刻、放送チャネル等の情報を含むものであればどのような情報であってもよい。
【００４４】
電場状況検出手段１０３は、放送受信手段１０２により受信された放送信号の電場強度を検出する。具体的には、例えばビデオ信号の電界強度等を検出する。また、通信手段（第１の通信手段）１０４は、外部機器と通信を行うための手段である。
【００４５】
番組情報取得手段である番組情報記録手段１０５は、放送受信手段１０２により受信された放送信号より番組に関する情報（以下、番組情報と称す。）を取得するか、あるいは通信手段１０４を介して外部機器から番組情報を取得して、記録部１０８に記録する。
【００４６】
操作部１０６は、ユーザによる様々な操作を受け付ける。また表示部１０７は、操作内容や、放送内容等を表示する。記録部１０８は、種々のデータを記憶する。
【００４７】
制御部１０９は、移動体通信端末１０１全体の制御を司る。例えば、制御部１０９は、放送受信時に番組の映像信号を表示部１０６に表示する処理を実行する。また、制御部１０９は、番組情報から、受信中の番組を特定する情報を抽出し、該受信中の番組の録画開始を要求するための録画開始コマンドを作成する機能（コマンド作成手段；図示せず。）を有しており、電場強度が予め定められた値以下になると、通信手段１０４を介して記録再生装置１１０へ録画開始コマンドを送信する処理を実行する。
【００４８】
続いて、記録再生装置１１０の構成について説明する。
記録再生装置１１０において、放送受信手段（第２の放送受信手段）１１１は、放送受信装置１１６により入力された放送信号を受信する。放送受信装置１１６は、放送局１１８により放送された放送信号を受信して、記録再生装置１１０へ入力する。
【００４９】
通信手段（第２の通信手段）１１２は、外部機器と通信を行うための手段である。また操作部１１３は、ユーザによる様々な操作を受け付ける。また、記録手段である記録部１１４は、例えばＨＤＤやＤＶＤなどであり、放送受信手段１１１により受信した番組の記録を行う。
【００５０】
制御部１１５は、記録再生装置１１０全体の制御を司る。例えば、制御部１１５は、記録部１１４に記録された映像信号を表示装置１１７に表示する処理を実行する。また制御部１１５は、通信手段１１２を介して移動体通信端末１０１より録画開始コマンドを受信すると、その録画開始コマンドを基に該当番組の録画を開始する。
【００５１】
以上のように構成された移動体通信端末１０１と記録再生装置１１０は、それぞれの通信手段１０４、１１２により、互いに情報（データ）の送受信を行う。通信手段１０４、１１２は、移動体通信端末１０１と記録再生装置１１０を直接あるいはインターネット等のネットワーク経由で通信可能にする手段であり、例えば、赤外線通信ポートやワイヤレスＬＡＮシステムのように外部機器と直接無線接続が可能な手段であってもよい。
【００５２】
続いて、移動体通信端末１０１で番組を視聴中にＴＶ放送の受信状況が悪くなり、記録再生装置１１０においてＴＶ放送を記録する場合の制御部１０９、１１５の処理動作について、図２を用いて説明する。
【００５３】
まず、移動体通信端末１０１において、操作部１０６がユーザによるＴＶ視聴操作を受け付けると、制御部１０９はＴＶ放送の受信処理を開始するとともに（ステップＳ２０１）、記録再生装置１１０との通信リンクを確立する。
【００５４】
次に、制御部１０９は、電場状況検出手段１０３による電場強度の検出処理を開始する（ステップＳ２０２）。また、番組情報記録手段１０５による番組情報の取得処理および記録処理も実行する。また、図示しないコマンド作成手段による録画開始コマンドの作成処理も実行する。そして、電場状況検出手段１０３により検出された電場強度が予め定められた値以下になると、通信手段１０４を介して記録再生装置１１０へ録画開始コマンドを送信する処理を実行する（ステップＳ２０３）。ここで、録画開始コマンドとは、記録再生装置１１０が録画を開始するのに必要な情報であって、放送チャネルや、番組終了時刻、番組タイトル等の情報からなる。なお、録画開始コマンドに加えて番組情報を送信するようにしてもよい。
【００５５】
記録再生装置１１０の制御部１１５は、通信手段１１２を介して録画開始コマンドを受信すると（ステップＳ２０４）、受信した録画開始コマンドを基に該当番組の録画処理を開始するとともに（ステップＳ２０５）、録画設定情報を作成して、通信手段１１２を介して移動体通信端末１０１へ送信する処理を実行する（ステップＳ２０６）。なお、番組情報も受信する場合には、録画開始コマンドと番組情報を基に録画を開始するようにしてもよい。また、記録再生装置１１０が、放送信号より番組情報を取得するか、あるいは通信手段１１２を介して外部機器から番組情報を取得する手段を備える場合には、記録再生装置１１０において番組情報を取得するようにしてもよい。
【００５６】
移動体通信端末１０１の制御部１０９は、通信手段１０４を介して録画設定情報を受信すると、録画が設定されたことを教示する情報を表示部１０６に表示させる処理を実行する（ステップＳ２０７）。
【００５７】
続いて、電場状況の検出の一例について、図３を用いて説明する。図３の左図（ａ）は制御部１０９の処理動作を示すフロー図であり、右図（ｂ）は電場状況検出手段１０３の動作を示すフロー図である。
【００５８】
左図（ａ）において、制御部１０９は、ＴＶ放送の受信処理を開始すると、番組情報記録手段１０５による番組情報の取得処理および記録処理と、電場状況検出手段１０３による電場強度検出処理を実行する（ステップＳ３０１、Ｓ３０２）。そして、検出された電場強度を予め設定された閾値と比較して（ステップＳ３０３）、閾値より小さくなると、通信手段１０４を介して、記録再生装置１１０へ、現在受信中の番組の録画開始を要求するための録画開始コマンドを送信する処理を実行する（ステップＳ３０４）。
【００５９】
一方、電場状況検出手段１０３は、例えば、ビデオ信号の同期（水平同期または垂直同期または色同期）ごとに、ビデオ信号の弱電界信号レベルを取得し（ステップＳ３０５）、履歴として所定の記憶領域へ保存する（ステップＳ３０６）。そして、該履歴を用いて、例えば一定時間ごとの履歴の平均値を算出し、この平均値を電場強度として制御部１０９へ送る（ステップＳ３０７）。
【００６０】
なお、電場強度として、単にビデオ信号の同期ごとに弱電界信号レベルを検出してもよいし、また、一定時間ごとの履歴のうち最も発生頻度の高いレベルを検出してもよいし、一定時間ごとの履歴の傾きを検出してもよく、現在の電場状況が判別できるものであればよい。このように、放送受信手段１０２によって受信した信号から得られる信号のうち、電場状況に応じて変化する信号のレベルを用いて電場強度を検出する。
【００６１】
本実施の形態１によれば、移動中にＴＶ放送の受信状態が悪くなり、視聴者が見たいシーンを見逃してしまうという問題を回避することができる。また、ユーザは煩雑な操作を必要としないため、使い勝手が向上する。
【００６２】
なお、制御部１０９において電場強度を閾値と比較するのではなく、移動体通信端末１０１に比較器などの回路を有するように構成し、ハードウェアで判定を行う構成としてもよい。
【００６３】
（実施の形態２）
続いて、本発明の実施の形態２における放送番組記録システム、情報処理端末、および記録装置について説明する。本実施の形態２では、前述した実施の形態１と同様に、情報処理端末として移動体通信端末を用いた放送番組記録システムを例に説明する。
【００６４】
図４は、本実施の形態２における放送番組記録システムの構成例を示す図である。但し、前述の実施の形態１において説明した部材と同一の部材には同一符号を付して、詳細な説明を省略する。
【００６５】
本システムは、移動体通信端末１０１が電場状況ではなく電池残量を検出する点が実施の形態１と異なる。つまり、移動体通信端末１０１において、電池残量検出手段２０１は、移動体通信端末１０１の電池残量を検出し、制御部１０９は、電池残量検出手段２０１により検出された電池残量が予め定められた値以下になると、通信手段１０４を介して記録再生装置１１０へ録画開始コマンドを送信する処理を実行する。
【００６６】
続いて、移動体通信端末１０１で番組を視聴中に電池残量が残り少なくなり、記録再生装置１１０においてＴＶ放送を記録する場合の制御部１０９、１１５の処理動作について、図５を用いて説明する。但し、図２に基づいて説明した工程（ステップ）と同じ工程については同一符号を付して、詳細な説明を省略する。
【００６７】
移動体通信端末１０１の制御部１０９は、ＴＶ放送の受信処理を開始して（ステップＳ２０１）記録再生装置１１０との通信リンクを確立すると、電池残量検出手段２０１による電池残量の検出処理を開始する（ステップＳ５０１）。また、実施の形態１と同様に、番組情報記録手段１０５による番組情報の取得処理および記録処理と、図示しないコマンド作成手段による録画開始コマンドの作成処理も実行する。そして、電池残量検出手段２０１により検出された電池残量が予め定められた値以下になると、通信手段１０４を介して記録再生装置１１０へ録画開始コマンドを送信する処理を実行する（ステップＳ２０３）。ステップＳ２０４〜ステップＳ２０７については、前述した実施の形態１と同様であるので、説明を省略する。
【００６８】
続いて、電池残量の検出の一例について、図６を用いて説明する。図６の左図（ａ）は制御部１０９の処理動作を示すフロー図であり、右図（ｂ）は電池残量検出手段２０１の動作を示すフロー図である。
【００６９】
左図（ａ）において、制御部１０９は、ＴＶ放送の受信処理を開始すると、番組情報記録手段１０５による番組情報の取得処理および記録処理と、電池残量検出手段２０１による電池残量検出処理を実行する（ステップＳ６０１、Ｓ６０２）。そして、検出された電池残量を予め設定された閾値と比較して（ステップＳ６０３）、閾値より小さくなると、通信手段１０４を介して、記録再生装置１１０へ、現在受信中の番組の録画開始を要求するための録画開始コマンドを送信する処理を実行する（ステップＳ６０４）。
【００７０】
一方、電池残量検出手段２０１は、例えば電池残量を所定の周期で取得し（ステップＳ６０５）、履歴として所定の記憶領域へ保存する（ステップＳ６０６）。そして、該履歴を用いて、例えば一定時間ごとの履歴の平均値を算出し、この平均値を電池残量として制御部１０９へ送る（ステップＳ６０７）。
【００７１】
なお、電池残量レベルとして、単に所定の周期で電池残量を検出してもよいし、また、一定時間ごとの履歴のうち最も発生頻度の高い残量レベルを検出してもよいし、一定時間ごとの履歴の傾きを検出してもよく、現在の電池残量が判別できるものであればよい。
【００７２】
本実施の形態２によれば、移動中に電池残量が減少し、視聴者が見たいシーンを見逃してしまうという問題を回避することができる。また、ユーザは煩雑な操作を必要としないため、使い勝手が向上する。
【００７３】
なお、制御部１０９において電池残量を閾値と比較するのではなく、移動体通信端末１０１に比較器などの回路を有するように構成し、ハードウェアで判定を行う構成としてもよい。
【００７４】
（実施の形態３）
続いて、本発明の実施の形態３における放送番組記録システム、情報処理端末、および記録装置について説明する。本実施の形態３では、前述した実施の形態１、２と同様に、情報処理端末として移動体通信端末を用いた放送番組記録システムを例に説明する。但し、前述の実施の形態１において説明した部材と同一の部材については、詳細な説明を省略する。
【００７５】
前述した実施の形態１では、移動体通信端末１０１が、電場状況検出手段１０３により検出された電場強度を閾値と比較して、記録再生装置１１０へ録画開始コマンドを送信することで番組の録画を行ったが、本システムでは、記録再生装置１１０が電場強度を閾値と比較して、電場強度が閾値以下になると録画を開始する。
【００７６】
すなわち、移動体通信端末１０１の制御部１０９は、番組情報記録手段１０５により記録された番組情報から、現在受信中の番組を特定する情報（例えば、放送チャネルや、番組終了時刻、番組タイトル等）を抽出する機能（番組特定手段；図示せず。）を有し、この抽出した情報を、通信手段１０４を介して記録再生装置１１０へ送信する処理を実行する。但し、この情報の送信については、定期的に送信してもよいし、視聴する番組が切り替わるごとに送信してもよい。
【００７７】
また、制御部１０９は、電場状況検出手段１０３により検出された電場強度の情報を、定期的に（例えば、弱電界信号レベルの平均値が算出されるごとに）、通信手段１０４を介して記録再生装置１１０へ送信する処理を実行する。
【００７８】
一方、記録再生装置１１０の制御部１１５は、通信手段１１２を介して、移動体通信端末１０１より、電場強度の情報と、移動体通信端末１０１にて受信中の番組を特定する情報を受信し、電場強度が予め定められた値以下になると、移動体通信端末１０１にて受信中の番組を記録する処理を開始する。
【００７９】
なお、制御部１１５において、電場強度を決定するようにしてもよい。例えば、移動体通信端末１０１から記録再生装置１１０へ、電場強度の情報として、ビデオ信号の同期ごとに、ビデオ信号の弱電界信号レベルを送信し、制御部１１５が、例えば図３を用いて説明したように、ビデオ信号の弱電界信号レベルの履歴を記憶し、一定時間ごとの履歴の平均値を算出し、この平均値を予め設定された閾値と比較し、閾値より小さくなると、移動体通信端末１０１にて受信中の番組を記録する処理を開始するようにしてもよい。
【００８０】
本実施の形態３によれば、移動中にＴＶ放送の受信状態が悪くなり、視聴者が見たいシーンを見逃してしまうという問題を回避することができる。また、ユーザは煩雑な操作を必要としないため、使い勝手が向上する。
【００８１】
（実施の形態４）
続いて、本発明の実施の形態４における放送番組記録システム、情報処理端末、および記録装置について説明する。本実施の形態４では、前述した実施の形態１ないし３と同様に、情報処理端末として移動体通信端末を用いた放送番組記録システムを例に説明する。但し、前述の実施の形態２、３において説明した部材と同一の部材については、詳細な説明を省略する。
【００８２】
前述した実施の形態２では、移動体通信端末１０１が、電池残量検出手段２０１により検出された電池残量を閾値と比較して、記録再生装置１１０へ録画開始コマンドを送信することで番組の録画を行ったが、本システムでは、記録再生装置１１０が電池残量を閾値と比較して、電池残量が閾値以下になると録画を開始する。
【００８３】
すなわち、移動体通信端末１０１の制御部１０９は、実施の形態３と同様に、番組情報記録手段１０５により記録された番組情報から、現在受信中の番組を特定する情報を抽出する機能（番組特定手段；図示せず。）を有し、この抽出した情報を、通信手段１０４を介して記録再生装置１１０へ送信する処理を実行する。
【００８４】
また、制御部１０９は、電池残量検出手段２０１により検出された電池残量の情報を、定期的に（例えば電池残量の平均値が算出されるごとに）、通信手段１０４を介して記録再生装置１１０へ送信する処理を実行する。
【００８５】
一方、記録再生装置１１０の制御部１１４は、通信手段１１２を介して、移動体通信端末１０１より、電池残量の情報と、移動体通信端末１０１にて受信中の番組を特定する情報を受信し、電池残量が予め定められた値以下になると、移動体通信端末１０１にて受信中の番組を記録する処理を開始する。
【００８６】
なお、制御部１１５において、電池残量を決定するようにしてもよい。例えば、移動体通信端末１０１から記録再生装置１１０へ、電池残量の情報として、所定の周期で、電池残量レベルを送信し、制御部１１５が、例えば図６を用いて説明したように、電池残量の履歴を記憶し、一定時間ごとの履歴の平均値を算出し、この平均値を予め設定された閾値と比較し、閾値より小さくなると、移動体通信端末１０１にて受信中の番組を記録する処理を開始するようにしてもよい。
【００８７】
本実施の形態４によれば、移動中に電池残量が減少し、視聴者が見たいシーンを見逃してしまうという問題を回避することができる。また、ユーザは煩雑な操作を必要としないため、使い勝手が向上する。
【００８８】
（実施の形態５）
続いて、本発明の実施の形態５における放送番組記録システム、情報処理端末、および記録装置について説明する。本実施の形態５では、前述した実施の形態１、２と同様に、情報処理端末として移動体通信端末を用いた放送番組記録システムを例に説明する。
【００８９】
図７は、本実施の形態５における放送番組記録システムの構成例を示す図である。但し、前述の実施の形態１、２において説明した部材と同一の部材には同一符号を付して、詳細な説明を省略する。
【００９０】
まず、図８を用いて、移動体通信端末１０１の制御部１０９と記録再生装置１１０の制御部１１５の処理動作について説明する。
【００９１】
移動体通信端末１０１において、操作部１０６がユーザによるＴＶ視聴操作を受け付けると、制御部１０９はＴＶ放送の受信処理を開始するとともに（ステップＳ８０１）、記録再生装置１１０との通信リンクを確立する。そして、番組情報記録手段１０５による番組情報の取得処理と記録処理、および図示しないコマンド作成手段による録画開始コマンドの作成処理を実行して、通信手段１０４を介して記録再生装置１１０へ録画開始コマンドを送信する処理を実行する（ステップＳ８０２）。
【００９２】
記録再生装置１１０の制御部１１５は、通信手段１１２を介して録画開始コマンドを受信すると（ステップＳ８０３）、受信した録画開始コマンドを基に該当番組の録画処理を開始するとともに（ステップＳ８０４）、録画設定情報を作成して、通信手段１１２を介して移動体通信端末１０１へ送信する処理を実行する（ステップＳ８０５）。
【００９３】
移動体通信端末１０１の制御部１０９は、通信手段１０４を介して録画設定情報を受信すると、録画が設定されたことを教示する情報を表示部１０６に表示させる処理を実行する（ステップＳ８０６）。また、電場状況検出手段１０３による電場強度の検出処理を開始するとともに（ステップＳ８０７）、電池残量検出手段２０１による電池残量の検出処理を開始する（ステップＳ８０８）。また、視聴領域特定手段３０１により視聴領域特定情報が作成されると、通信手段１０４を介して記録再生装置１１０へ該視聴領域特定情報を送信する処理を実行する（ステップＳ８０９）。
【００９４】
記録再生装置１１０の制御部１１５は、通信手段１１２を介して視聴領域特定情報を受信すると、この情報を基に、記録部１１４に記録されている番組データに対して、視聴できた視聴済み領域あるいは視聴できなかった未視聴領域を指定するために、視聴領域特定情報を付加する（ステップＳ８１０）。
【００９５】
このように、本システムでは、移動体通信端末１０１の制御部１０９と記録再生装置１１０の制御部１１５の制御動作が実施の形態１、２と異なり、移動体通信端末１０１において番組の視聴が開始されると、直ちに記録再生装置１１０においてその番組の記録が開始される。また、視聴領域特定情報を作成し、記録部１１４に記録されている番組データに対して、視聴済み領域あるいは未視聴領域を指定する。
【００９６】
続いて、視聴領域特定手段３０１について説明する。視聴領域特定手段３０１は、操作部１０６により受け付けたユーザ操作と、電場状況検出手段１０３により検出された電場強度と、電池残量検出手段２０１により検出された電池残量を基に、受信中の番組における視聴済み領域あるいは未視聴領域を特定するための視聴領域特定情報を作成する。
【００９７】
例えば、視聴領域特定手段３０１は、操作部１０６がユーザによるＴＶ視聴開始操作や、ＴＶ視聴中断操作、ＴＶ視聴停止操作、ＴＶ視聴再開操作を受け付けると、その都度、ＴＶ視聴が開始されたことや、ＴＶ視聴が中断されたこと、ＴＶ視聴が停止されたこと、ＴＶ視聴が再開されたことを教示する情報を視聴領域特定情報として作成する。
【００９８】
また、視聴領域特定手段３０１は、電場状況検出手段１０３により検出された電場強度が閾値以下になったり、閾値を越えたりすると、その都度、電場強度の情報を視聴領域特定情報として作成する。
【００９９】
また、視聴領域特定手段３０１は、電池残量検出手段２０１により検出された電池残量が閾値以下になったり、閾値を越えたりすると、その都度、電池残量の情報を視聴領域特定情報として作成する。
【０１００】
このように、視聴領域特定情報は、ユーザが番組全体のうちどの領域を視聴したか、あるいは視聴していないかを特定可能な情報であればどのような情報であってもよい。
【０１０１】
移動体通信端末１０１の制御部１０９は、視聴領域特定手段３０１により視聴領域特定情報が作成されると、例えば操作部１０６がユーザによる操作を受け付けた時刻や電場強度が閾値以下になった時刻などの時刻の情報とともに、通信手段１０４を介して記録再生装置１１０へ送信する処理を実行する。
【０１０２】
一方、記録再生装置１１０の制御部１１５は、例えば番組の映像情報がＭＰＥＧ２などのＡＶデータである場合、該ＡＶデータを構成する各ＶＯＢＵに対して、視聴領域特定情報を付加する。
【０１０３】
例えば、視聴領域特定情報として、ＴＶ視聴が開始されたことなどを教示する情報を受信すると、該情報とともに送信された時刻情報より、ユーザ操作がなされた時刻に対応するＡＶデータのアドレスを算出し、該当アドレスのＶＯＢＵに対して、該視聴領域特定情報を付加する。つまり、該当アドレスのＶＯＢＵに関連付けて記録部１１４に記録する。なお、番組の放送が終了したときにも、ＴＶ視聴が終了したことを教示する情報を付加するようにする。
【０１０４】
また、視聴領域特定情報として電場強度もしくは電池残量の情報を受信すると、該情報とともに送信された時刻情報より、電場強度などが閾値以下になるなどした変化点に対応するＡＶデータのアドレスを算出し、該当アドレスのＶＯＢＵに対して、該視聴領域特定情報を付加する。
【０１０５】
本実施の形態５によれば、移動中に視聴を中断したり、電波状況が悪くなったり、電池残量が減少して、視聴者が見たいシーンを見逃してしまうという問題を回避することができる。また、ユーザは煩雑な操作を必要としないため、使い勝手が向上する。
【０１０６】
なお、本実施の形態５では、実施の形態１、２と同様に、移動体通信装置１０１において電場強度を閾値と比較したり、電池残量を閾値と比較したりしたが、実施の形態３、４と同様に、任意のタイミングで、移動体通信装置１０１から記録再生装置１１０へ電場強度や電池残量の情報を送信して、記録再生装置１１０において閾値との比較を行い、例えば電場強度が閾値以下になると、記録部１１４に記録されている番組のデータに対して、視聴済み領域あるいは未視聴領域を指定するようにしてもよい。例えば、記録再生装置１１０の制御部１１５において電池残量を閾値と比較し、閾値以下になると、その変化点に対応するアドレスのＶＯＢＵに対して電池残量のデータを付加するなどする。
【０１０７】
また、記録再生装置１１０が、通信手段１１２を介して、記録部１１４に記録されている番組データのうち未視聴領域のデータを移動体通信装置１０１へ配信するようにしてもよい。これにより、移動中に電波受信状態が悪くなった場合でも、帰宅する時間を待つことなく、未視聴領域を視聴することができるようになる。
【０１０８】
また、さらに、移動体通信端末１０１の視聴領域特定手段３０１が、記録再生装置１１０から配信された未視聴領域の番組データのうち、操作部１０６が受け付けたユーザ操作によりデータ再生がなされた領域あるいはデータ再生がなされなかった領域を特定するための視聴領域特定情報（例えば番組データに時間のデータが含まれていれば、再生がなされた時間帯を示す情報）を作成して、記録再生装置１１０へ改めて送信するようにしてもよい。これにより、ユーザは、帰宅時により少ない時間で未視聴領域を視聴することができ、使い勝手が向上する。
【０１０９】
また、記録再生装置１１０の制御部１１５が、未視聴領域の番組データ送信後、通信手段１１２を介して移動体通信端末１０１から改めて視聴領域特定情報を受信すると、記録部１１４に記録されている番組のデータに対して視聴済み領域あるいは未視聴領域の再指定を行い、未視聴領域がなくなった番組データの削除を自動的に実行するようにしてもよい。これによい、記録容量の増加を防止することができるようになり、使い勝手が向上する。
【０１１０】
なお、ここで、番組を自動的に削除したくない場合も存在するので、移動体通信端末１０１の表示部１０７または記録再生装置１１０と接続された表示装置１１７に削除要求を表示し、ユーザに選択させる構成としてもよい。
【産業上の利用可能性】
【０１１１】
本発明にかかる放送番組記録システムは、移動中にＴＶ放送の受信状態が悪くなったり、電池残量が減少したりして、視聴者が見ようとしているシーンを見逃してしまうという問題を回避することができ、ＴＶ放送の録画に有用である。
【図面の簡単な説明】
【０１１２】
【図１】本発明の実施の形態１における放送番組記録システムの構成例を示す図
【図２】本発明の実施の形態１における移動体通信端末と記録再生装置の制御部の処理動作を示すフロー図
【図３】本発明の実施の形態１における放送番組記録システムの電場状況検出処理の一例を説明するためのフロー図
【図４】本発明の実施の形態２における放送番組記録システムの構成例を示す図
【図５】本発明の実施の形態２における移動体通信端末と記録再生装置の制御部の処理動作を示すフロー図
【図６】本発明の実施の形態２における放送番組記録システムの電池残量検出処理の一例を説明するためのフロー図
【図７】本発明の実施の形態５における放送番組記録システムの構成例を示す図
【図８】本発明の実施の形態５における移動体通信端末と記録再生装置の制御部の処理動作を示すフロー図
【符号の説明】
【０１１３】
１０１      移動体通信端末
１０２      放送受信装置
１０３      電場状況検出手段
１０４      通信手段
１０５      番組情報記録手段
１０６      操作部
１０７      表示部
１０８      記録部
１０９      制御部
１１０      記録再生装置
１１１      放送受信手段
１１２      通信手段
１１３      操作部
１１４      記録部
１１５      制御部
１１６      放送受信装置
１１７      表示装置
１１８      放送局
２０１      電池残量検出手段
３０１      視聴領域特定手段
【図１】
0004667232.tif 000002
【図２】
0004667232.tif 000003
【図３】
0004667232.tif 000004
【図４】
0004667232.tif 000005
【図５】
0004667232.tif 000006
【図６】
0004667232.tif 000007
【図７】
0004667232.tif 000008
【図８】
0004667232.tif 000009